(57)【要約】【課題】カードリーダを用いなくても取引対象の口座の指定を確実に行うことができるようにする。【解決手段】端末装置１に、１つまたは複数の口座番号を表示する操作画面表示部１０１と、表示された口座番号の中から取引対象の口座の口座番号を選択するための口座選択部１０２と、取引対象の口座の口座番号を入力するための口座番号入力部１０３と、選択された口座番号と入力された口座番号とを照合する口座番号照合部１０４と、照合の結果、両口座番号が一致すると判別された場合に、その口座番号の口座に対する入出金のための処理を実行する入金等処理部１０５と、を設ける。【選択図】図４
2005208948.tif 000002
【特許請求の範囲】
【請求項１】
１つまたは複数の口座番号を表示する表示手段と、
表示された口座番号の中から取引対象の口座の口座番号を選択するための選択手段と、
前記取引対象の口座の口座番号を入力するための入力手段と、
前記選択手段によって選択された口座番号と前記入力手段によって入力された口座番号とを照合する口座番号照合手段と、
前記口座番号照合手段による照合の結果、前記選択手段によって選択された口座番号と前記入力手段によって入力された口座番号とが一致すると判別された場合に、当該口座番号の口座に対する入出金のための処理を実行する入出金処理実行手段と、
を有することを特徴とする端末装置。
【請求項２】
取引相手の所有する１つまたは複数の口座の口座番号および商品名を記憶する記憶手段と、
取引相手の所有する１つまたは複数の口座の商品名を表示する表示手段と、
表示された商品名の中から取引対象の口座の商品名を選択するための選択手段と、
前記取引対象の口座の口座番号を入力するための入力手段と、
前記選択手段によって選択された商品名に対応する口座の口座番号と前記入力手段によって入力された口座番号とを照合する口座番号照合手段と、
前記口座番号照合手段による照合の結果、前記選択手段によって選択された商品名に対応する口座の口座番号と前記入力手段によって入力された口座番号とが一致すると判別された場合に、当該口座に対する入出金のための処理を実行する入出金処理実行手段と、
を有することを特徴とする端末装置。
【請求項３】
前記記憶手段は、ユーザが指定した条件に該当する取引相手の所有する口座の口座番号および商品名を記憶し、
前記表示手段は、世帯の一覧を表示し、ユーザが選択した世帯に属する顧客の一覧を表示し、ユーザが選択した顧客の有する口座の商品名の一覧を表示する、
請求項２記載の端末装置。
【請求項４】
取引対象の口座の口座番号を取得し、当該口座に対する入出金のための処理を実行する入出金処理方法であって、
１つまたは複数の口座番号を表示するステップと、
表示された口座番号の中からユーザが選択した取引対象の口座の口座番号を受け付けるステップと、
ユーザが入力した前記取引対象の口座の口座番号を受け付けるステップと、
選択された口座番号と入力された口座番号とを照合するステップ、
照合した結果、選択された口座番号と入力された口座番号とが一致すると判別された場合に、当該口座番号の口座に対する入出金のための処理を実行するステップと、
を有することを特徴とする入出金処理方法。
【請求項５】
取引対象の口座の口座番号を取得し、当該口座に対する入出金のための処理を実行するコンピュータに用いられるコンピュータプログラムであって、
１つまたは複数の口座番号を表示する処理と、
表示された口座番号の中から取引対象の口座の口座番号を選択するための処理と、
前記口座の口座番号を入力するための処理と、
選択された口座番号と入力された口座番号とを照合する処理と、
照合した結果、選択された口座番号と入力された口座番号とが一致すると判別された場合に、当該口座番号の口座に対する入出金のための処理と、
をコンピュータに実行させるためのコンピュータプログラム。
【発明の詳細な説明】
【技術分野】
【０００１】
本発明は、口座の入出金の処理を行う端末装置などに関する。
【背景技術】
【０００２】
従来より、信用金庫または銀行などの金融機関または保険会社などにおいて、顧客との取引を行う方法として、渉外員（外交員）を顧客の自宅または勤務先などに訪問させて金銭の受渡しを行う方法が用いられている。この際に、渉外員は、小型の端末装置を持参し、取引の処理のための操作を行う。
【０００３】
係る端末装置として、ＭＳ（Magnet Stripe）リーダなどと呼ばれる磁気カードリーダを備えた、渉外専用の端末装置（以下、「専用機」と記載する。）が用いられている。このような専用機が用いられるのは、通帳や証書に貼付されているマグネットストライプを読み取ることによって口座番号の入力の手間を省くためである。また、これにより、口座番号の入力ミスを防止することができる。
【０００４】
ところで、近年、ＰＤＡ（Personal Digital Assistant）のような、高性能でかつ安価な（つまり、コストパフォーマンスの高い）、汎用性のある小型の端末装置が市場に広く流通するようになった。最近では、スーツのポケットに入る程の非常に小さいＰＤＡも流通している。このような端末装置に渉外用のソフトウェアをインストールしておけば、従来の専用機と同様の処理を行うことができる端末装置を安価で作成することができる。また、メンテナンスやバージョンアップを従来よりも簡単に行うことができる。持ち運びも、専用機よりも楽になる。
【０００５】
しかし、ＰＤＡなどによって渉外用の端末装置を構成するためには、次のような問題点がある。ＰＤＡには磁気カードリーダが備わっていないので、渉外員は口座番号をＰＤＡに手入力しなければならなくなる。よって、入力ミスが生じやすくなる。そこで、ＰＤＡに磁気カードリーダを接続することが考えられる。しかし、そうすると、ＰＤＡと磁気カードリーダとのインタフェースを作成する必要が生じるので、開発費用が嵩んでしまい、結局、従来の専用機と比べてコストパフォーマンスがあまり変わらなくなる。また、ＰＤＡと磁気カードリーダとを両方持ち運ばなければならないので、持ち運びの利便性も、従来の専用機とあまり変わらなくなる。
【０００６】
特許文献１には、取引のある口座番号を複数表示し処理対象の口座番号を渉外員が指でタッチして選択する方法が記載されている。
【特許文献１】特開２００３−６４３４号公報
【発明の開示】
【発明が解決しようとする課題】
【０００７】
しかし、特許文献１に記載される発明によると、渉外員の操作の手間を省くことは可能であるが、複数表示された口座番号の選択ミスをするおそれがあり、誤った口座に金銭が入金されてしまうという問題がある。
【０００８】
上記のように、従来の専用機による入金業務では、渉外員の入力ミスにより、口座番号の選択ミスをしてしまうおそれがある。特に、複数の商品に加入している顧客については、このような口座番号の選択ミスをしてしまう可能性が高い。例えば、複数の子どもを持つ顧客は子どもごとに学資保険に加入している場合は、子どもごとに異なる口座番号が開設されることとなり、選択ミスがとても起こりやすい。
【０００９】
本発明は、このような問題点に鑑みなされたものであり、取引対象の指定ミスを防止する端末装置を提供することを目的とする。
【課題を解決するための手段】
【００１０】
本発明に係る端末装置は、取引対象の指定ミスを防止するために、次のような特徴的な構成を採用する。つまり、本発明に係る端末装置は、１つまたは複数の口座番号を表示する表示手段と、表示された口座番号の中から取引対象の口座の口座番号を選択するための選択手段と、前記取引対象の口座の口座番号を入力するための入力手段と、前記選択手段によって選択された口座番号と前記入力手段によって入力された口座番号とを照合する口座番号照合手段と、前記口座番号照合手段による照合の結果、前記選択手段によって選択された口座番号と前記入力手段によって入力された口座番号とが一致すると判別された場合に、当該口座番号の口座に対する入出金のための処理を実行する入出金処理実行手段と、を有することを特徴とする。
【００１１】
この端末装置は次のように使用される。ユーザは、表示された口座番号の中から訪問先の顧客の取引対象の口座の口座番号を選択するとともに、顧客から手渡された口座の証書などに記載された口座番号を入力する。すると、端末装置は、両口座番号を照合し、一致する場合に入出金のための処理を行う。
【００１２】
または、取引相手の所有する１つまたは複数の口座の口座番号および商品名を記憶する記憶手段と、取引相手の所有する１つまたは複数の口座の商品名を表示する表示手段と、表示された商品名の中から取引対象の口座の商品名を選択するための選択手段と、前記取引対象の口座の口座番号を入力するための入力手段と、前記選択手段によって選択された商品名に対応する口座の口座番号と前記入力手段によって入力された口座番号とを照合する口座番号照合手段と、前記口座番号照合手段による照合の結果、前記選択手段によって選択された商品名に対応する口座の口座番号と前記入力手段によって入力された口座番号とが一致すると判別された場合に、当該口座に対する入出金のための処理を実行する入出金処理実行手段と、を有することを特徴とする。選択対象の口座の商品名を表示することにより、選択ミスをより効果的に防止することができる。
【００１３】
または、前記記憶手段は、ユーザが指定した条件に該当する取引相手の所有する口座の口座番号および商品名を記憶し、前記表示手段は、世帯の一覧を表示し、ユーザが選択した世帯に属する顧客の一覧を表示し、ユーザが選択した顧客の有する口座の商品名の一覧を表示する。これにより、取引対象の口座をより簡単に選択することができ、指定ミスをより効果的に防止することができる。
【発明の効果】
【００１４】
本発明によると、多数の口座を取り扱う複雑な渉外業務においても、取引対象の口座の口座番号の指定ミスを防止することができる。
【発明を実施するための最良の形態】
【００１５】
図１は預貯金等管理システム１００の全体の構成の例を示す図、図２は端末装置１の外観の例を示す図、図３は端末装置１の内部構成の例を示す図、図４は端末装置１の機能的構成の例を示す図である。
【００１６】
図１に示すように、預貯金等管理システム１００は、本発明に係る端末装置１、店舗コンピュータ２、およびホスト３などによって構成される。店舗コンピュータ２とホスト３とは通信回線によって互いに接続されている。以下、信用金庫または銀行などの金融機関で使用される預貯金等管理システム１００を例に説明する。
【００１７】
ホスト３は、金融機関の本店または管理部門などに設けられており、預金、ローン、保険、および投資信託などの商品の口座に関する情報および顧客の個人情報などを一元管理している。
【００１８】
店舗コンピュータ２は、金融機関の本店および各支店に少なくとも１台ずつ設けられており、本店または支店の窓口を訪れた顧客の口座に対する入金または出金などの取引のための処理などを行う。そして、これらの処理の実行結果を示す情報をホスト３に送信する。これらの処理を実行するために必要な情報は、ホスト３より取得しておく。また、店舗コンピュータ２は、渉外員（外交員）が顧客の自宅などを訪問して受け付けた入金または出金についての処理も行い、処理の実行結果を示す情報をホスト３に送信する。なお、各店舗には１つずつ店舗コードが与えられている。
【００１９】
端末装置１は、顧客先を訪問する渉外員に１台ずつ配付される。端末装置１として、ＰＤＡなどの携帯型の装置が用いられる。端末装置１は、図２および図３に示すように、端末装置本体１１、液晶パネルなどの表示装置１２、テンキーおよびカーソルキーなどを備えたキーボード１３、ＣＰＵ１４、ＲＡＭ１５、ＲＯＭ１６、店舗コンピュータ２と通信を行うためのインタフェース１７、およびハードディスクなどの記憶装置１８などによって構成される。また、端末装置１には、レシート印刷用の携帯型のサーマルプリンタが接続される。
【００２０】
記憶装置１８には、図４に示すような操作画面表示部１０１、口座選択部１０２、口座番号入力部１０３、口座番号照合部１０４、入金等処理部１０５、顧客情報等記憶部１０６、および伝票印刷部１０７などの機能を実現するためのプログラムおよびデータが格納されている。これらのプログラムおよびデータは、必要に応じてＲＡＭ１５にロードされ、ＣＰＵ１４によってプログラムが実行される。
【００２１】
これらのプログラムおよびデータは、インタフェース１７を介して店舗コンピュータ２から端末装置１にダウンロードされる。また、渉外員が顧客先で受け付けた入金などの取引に関する情報も、インタフェース１７を介して店舗コンピュータ２に送信される。インタフェース１７として、例えば、ＵＳＢ（Universal Serial Bus）またはＢｌｕｅｔｏｏｔｈ（登録商標）、ＬＡＮ、または無線ＬＡＮなどが用いられる。
【００２２】
図５は世帯情報データベースＤＢ１の例を示す図、図６は顧客情報データベースＤＢ２の例を示す図、図７は口座情報データベースＤＢ３の例を示す図である。以下、図４に示す各部、店舗コンピュータ２、およびホスト３の、預金、ローンの返済、または保険の掛け金などの入金を行う際の処理内容などについて説明する。
【００２３】
顧客情報等記憶部１０６は、世帯情報データベースＤＢ１、顧客情報データベースＤＢ２、および口座情報データベースＤＢ３などを記憶し管理する。世帯情報データベースＤＢ１には、図５に示すように、その端末装置１を持っている渉外員が担当する地区の世帯に関する情報（以下、「世帯情報７１」と記載することがある。）が格納されている。顧客情報データベースＤＢ２には、図６に示すように、これらの世帯に属する顧客の（すなわち、これらの世帯に住む家族の）個人情報（以下、「顧客情報７２」と記載することがある。）が格納されている。口座情報データベースＤＢ３には、図７に示すように、これらの顧客の口座に関する情報（以下、「口座情報７３」と記載することがある。）が格納されている。
【００２４】
渉外員は、顧客先を訪問する前に、予め、自分の端末装置１を店舗コンピュータ２に接続し、自分の担当する地区の世帯に関連する世帯情報７１、顧客情報７２、および口座情報７３を店舗コンピュータ２よりダウンロードしておく。すなわち、渉外員は、まず、端末装置１を操作し、自分の担当する地区（例えば、市町村名またはその地区の郵便番号など）を自分の所属する支店の店舗コンピュータ２に対して指定する。すると、店舗コンピュータ２は、指定された地区にある世帯の世帯情報７１、その世帯に住む顧客の顧客情報７２、およびその顧客の口座の口座情報７３を必要に応じてホスト３から取得し、端末装置１に送信する。このようにして、今回の訪問に最適な世帯情報７１、顧客情報７２、および口座情報７３が端末装置１にダウンロードされる。
【００２５】
図５において、世帯情報７１の「世帯番号」は、その世帯を他の世帯と区別するための識別情報である。「世帯名」は、その世帯の苗字を示している。「レコード作成日」は、その世帯情報７１が作成された日を示している。「レコード更新日」は、その世帯情報７１の内容の一部または全部が更新された最新日を示している。「所管部店コード」は、その世帯を担当する本支店の店舗コードである。
【００２６】
「世帯構成」は、その世帯の家族（顧客）の顧客コードおよび店舗コードを示している。例えば、「世帯番号＝Ｓ０００１」の世帯には、３つの顧客コードと店舗コードとの組合せがある。よって、その世帯には３人の顧客がいることが分かる。「Ｃ０００１−Ｂ００１」のうち、「−（ハイフン）」の前のコード「Ｃ０００１」が顧客コードであり、後のコード「Ｂ００１」が店舗コードである。
【００２７】
「管理フラグＡ１」、「管理フラグＡ２」、…は、その世帯に起きた種々の出来事の有無、これから起きると考えられる種々の出来事の有無、または種々の注意事項の有無などを示すフラグである。例えば、「管理フラグＡ１」は、その世帯のレコード（世帯情報７１）が無効になっているか否かを示している。「管理フラグＡ１＝０」である場合は、その世帯の世帯情報７１が有効であることを意味する。「管理フラグＡ１＝１」である場合は、その世帯の世帯情報７１が無効であることを意味し、その世帯情報７１が削除されたものとして取り扱われる。
【００２８】
「管理フラグＡ２」は、その世帯が最近移動（引越し）したか否かを示している。「管理フラグＡ２＝１」である場合は、過去の所定の期間内にその世帯が移動したことを示している。これ以外にも、世帯情報７１は、今後引越しの予定があるか否か、新規に登録されて間もない世帯であるか否か、過去の所定の期間内にデータの更新があったか否か、平日の昼間は不在がちであるか否か、最近子どもが産まれたか否か、最近結婚した家族がいるか否か、最近離婚した家族がいるか否か、などの種々の事項の有無を示すフラグを有している。
【００２９】
そのほか、世帯情報７１は、その世帯の住所、郵便番号、代表者の電話番号、住所コード、および各種テキスト情報などのフィールドを有している。「住所コード」は、その世帯の住所を示すコードである。住所コードとして、例えば、公的機関などによって決められた住所コードを用いてもよいし、緯度経度を示す座標情報を用いてもよい。「各種テキスト情報」は、上に述べた以外の事項を示す。つまり、「各種テキスト情報」フィールドは、備考欄として用いられる。
【００３０】
図６において、顧客情報７２の「顧客番号」は、その顧客を他の顧客と区別するための識別情報である。「店舗コード」は、その顧客が属する本店または支店の店舗コードである。「レコード作成日」は、その顧客情報７２が作成された日を示している。「レコード更新日」は、その顧客情報７２の内容の一部または全部が更新された最新日を示している。
【００３１】
「口座」は、その顧客が持っている預金、ローン、保険、および投資信託などの口座の科目コードおよび口座番号（取扱番号）を示している。例えば、図６によると、「顧客番号＝Ｃ０００１」の顧客は、２つの口座を持っていることが分かる。「Ａ０３−９８７６５４３」のうち、「−（ハイフン）」の前のコード「Ａ０３」が科目コードであり、後のコード「９８７６５４３」が口座番号である。なお、金融機関によっては、この科目コードと口座番号とを合わせたものを口座番号として取り扱う場合もある。
【００３２】
「管理フラグＢ１」、「管理フラグＢ２」、…は、その顧客に起きた種々の出来事の有無、これから起きると考えられる種々の出来事の有無、または注意事項の有無などを示すフラグである。例えば、「管理フラグＢ１」は、その顧客のレコード（顧客情報７２）が無効になっているか否かを示している。「管理フラグＢ１＝０」である場合は、その顧客情報７２が有効であることを意味する。「管理フラグＢ１＝１」である場合は、その顧客情報７２が無効であることを意味し、その顧客情報７２は抹消されたものとして取り扱われる。
【００３３】
「管理フラグＢ２」は、その顧客が過去の所定の期間内に新規に登録されたか否かを示すものである。これ以外にも、顧客情報７２は、移管が行われたか否か、進学する予定があるか否か、投資に興味があるか否か、商品のパンフレットを渡す必要があるか否か、などの種々の事項の有無を示すフラグを有している。
【００３４】
そのほか、顧客情報７２には、生年月日、電話番号、携帯電話番号、確認用質問、確認用解答、写真ファイル、各種テキスト情報などのフィールドが設けられている。「確認用質問」は、渉外員が顧客に対してその顧客が本人であるか否かを確かめるための問いを示している。例えば、「あなたの母親の旧姓は何ですか。」というような、本人または家族しか知らないような問いである。「確認用解答」は、その問いに対する解答を示している。渉外員は、訪問先の顧客が本人であるかどうか疑わしい場合に、これらの情報を用いてそれを確かめることができる。「写真ファイル」はその顧客の顔写真のファイルの保存場所またはファイル名を示している。「各種テキスト情報」は、備考欄として用いられる。
【００３５】
図７において、口座情報７３の「科目コード」は、その口座に係る商品の種別を識別するためのコードである。本実施形態では「科目コード」と「口座番号」とによって口座を識別しているが、前に述べたように、金融機関によっては、「科目コード」のコードと「口座番号」の番号（コード）とを合わせたものを１つの識別番号（口座番号）として取り扱う場合もある。
【００３６】
「商品コード」は、その口座に係る商品を示すコードである。当金融機関で取り扱う商品には、それぞれに一意の商品コードが付されている。例えば、科目コードが同じである積立預金であっても、積立期間（例えば、３ヶ月、６ヶ月、１年、３年などの期間）ごとに一意の商品コードが付されている。「入金期日」は、その口座の次回の入金期日を示している。
【００３７】
「管理フラグＣ１」、「管理フラグＣ２」、…は、その口座に関する注意事項などの有無を示すフラグである。例えば、「管理フラグＣ１」は、当日に入金の予定があるか否かを示している。「管理フラグＣ２」は、入金が延滞しているか否かを示している。そのほか、口座情報７３は、満期が到来したか否か、解約の要求があったか否か、などの営業上の情報や注意情報などの有無を示すためのフラグを有している。また、世帯情報７１および顧客情報７２と同様に、備考欄として用いられる「各種テキスト情報」フィールドが設けられている。
【００３８】
なお、これらのデータベースに、法人、役所、または事務所などのような団体およびその構成員に関する世帯情報７１、顧客情報７２、および口座情報７３を格納することもできる。この場合は、図５の「世帯名」にはその団体の団体名が示され、「世帯構成」にはその団体の構成員の顧客コードおよび店舗コードが示される。
【００３９】
図４の顧客情報等記憶部１０６は、上に説明した世帯情報データベースＤＢ１、顧客情報データベースＤＢ２、および口座情報データベースＤＢ３以外に、各商品の商品コードと商品名（口座名）との対応関係を示す商品マスター、本店または各支店の店舗コードと店舗名との対応関係を示す店舗マスター、各顧客の顔写真のファイル、および渉外員の担当する地区の地図データなどを記憶している。
【００４０】
図８は世帯選択画面ＨＧ１の例を示す図、図９は顧客選択画面ＨＧ２の例を示す図、図１０は入金処理画面ＨＧ３の例を示す図である。
【００４１】
図４の操作画面表示部１０１は、図８、図９、および図１０に示すような、渉外員が端末装置１の操作を行うための画面を表示する。操作画面表示部１０１は、渉外員の操作に従って、例えば次のような手順でこれらの画面を表示する。
【００４２】
初期画面が表示されている状態で渉外員が所定の操作を行うと、操作画面表示部１０１は、係る操作に従って図８に示す世帯選択画面ＨＧ１を表示する。世帯選択画面ＨＧ１の内容は、図５の世帯情報データベースＤＢ１、図６の顧客情報データベースＤＢ２、図７の口座情報データベースＤＢ３、各種マスター、写真ファイル、および地図データなどに基づいて生成される。後に説明する顧客選択画面ＨＧ２および入金処理画面ＨＧ３についても同様である。
【００４３】
世帯選択画面ＨＧ１の領域ＲＹ１１には、世帯情報データベースＤＢ１に格納されている各世帯情報７１の世帯名のリストが表示される。渉外員は、このリストの中から訪問先の世帯の世帯名を選択する。すると、領域ＲＹ１２には、選択された世帯に関する情報が表示される。図８の例では、その世帯の位置を示す地図、世帯番号、および所定の期間内（例えば、訪問日中）に入金の予定がある旨が表示されている。領域ＲＹ１２をスクロールすると、これ以外の情報、例えば、その世帯の世帯情報７１が有する住所、郵便番号、代表者の電話番号、およびフラグの内容（例えば、最近結婚した家族がいる、のような注意事項）などが表示される。なお、所定の期間内に入金の予定がある場合は、その旨を赤色などで強調表示しまたはアラーム音を出力するなどして渉外員に対して注意を促すようにしてもよい。
【００４４】
キーボード１３（図２参照）のＥｎｔｅｒキーを押下するなどの所定の操作が行われると、領域ＲＹ１１で選択中の世帯に属する顧客に関する情報を示す顧客選択画面ＨＧ２が、図９に示すように表示される。顧客選択画面ＨＧ２の領域ＲＹ２１には、その世帯に属する顧客の顧客名のリストが表示される。渉外員は、訪問の際に入金の処理を行う必要のある口座を有する顧客の顧客名を選択する。すると、領域ＲＹ２２には選択された顧客の持っている口座に関する情報が表示され、領域ＲＹ２３にはその顧客の顔写真、生年月日、氏名、確認用の質問およびその解答、およびフラグに示される注意事項などが表示される。
【００４５】
ここでＥｎｔｅｒキーを押下するなどの所定の操作が行われると、領域ＲＹ２１で選択中の顧客が持っている口座に関する情報を示す入金処理画面ＨＧ３が、図１０に示すように表示される。入金処理画面ＨＧ３の領域ＲＹ３１には、その顧客の持っている口座の商品名（口座名）のリストが表示される。領域ＲＹ３３には、図９の領域ＲＹ２３と同様に、その顧客の顔写真などが表示される。領域ＲＹ３２には、領域ＲＹ３１で選択されている口座の口座番号および次回の入金予定額などが表示される。
【００４６】
渉外員は、訪問先にて、領域ＲＹ３１に表示される商品名または領域ＲＹ３２に表示される口座番号などを見ながら端末装置１を操作し、これから入金を行う口座の商品名が領域ＲＹ３１にて選択されている状態にしておく。そして、その口座の書類（証書、通帳、またはカードなど）および入金すべき額の金銭を顧客またはその家族から受け取り、その書類に記載されている口座番号をテキストボックスＴＸ３に手入力し、所定の操作（例えば、Ｅｎｔｅｒキーの押下）を行う。
【００４７】
すると、口座選択部１０２は、領域ＲＹ３１で選択されている口座の口座番号を受け付け、口座番号照合部１０４に通知する。また、口座番号入力部１０３は、テキストボックスＴＸ３に入力された口座番号を受け付け、口座番号照合部１０４に通知する。
【００４８】
口座番号照合部１０４は、口座選択部１０２および口座番号入力部１０３からそれぞれ通知されてきた口座番号同士を照合する。両者が一致しない場合には、入金を行う口座が領域ＲＹ３１において正しく選択されたかどうかおよびテキストボックスＴＸ３にその口座の口座番号が正しく入力されたかどうかを確認すべき旨のメッセージを表示する。または、音声で係るメッセージを出力する。
【００４９】
両者が一致する場合は、入金等処理部１０５は、取引対象の口座が正しいものであるものと認証し、その口座の入金のための処理を行う。例えば、その口座への入金の要求が正しく受け付けられた旨、その口座の口座番号、および受け取った金銭の額などを示す情報をログとして記録しておく。また、口座情報データベースＤＢ３に格納されている、その口座の「入金予定金額」を「０」にしておく。渉外員が一部の金額だけしか受け取らなかった場合は、その金額を「入金予定金額」から減算する。
【００５０】
渉外員が自分の店舗（本店または支店）に戻ってから、入金等処理部１０５は、店舗コンピュータ２にその日の入金のログを送信する。さらに、店舗コンピュータ２は、ホスト３にそのログを送信する。そして、ホスト３は、これに基づいてその口座に入金がなされたことを認識する。このようにして、預貯金等管理システム１００における最終的な入金処理が完了する。
【００５１】
伝票印刷部１０７は、その口座への入金の要求が正しく受け付けられた旨を示す伝票の印刷を行う。その伝票は、渉外員から顧客に手渡される。
【００５２】
図１１は端末装置１の処理の流れの例を説明するフローチャートである。次に、顧客先における入金のための処理を実行する際の端末装置１の処理の手順を、フローチャートを参照して説明する。
【００５３】
図１１において、渉外員は、外出前に、その日に訪問する世帯およびその家族（または団体およびその構成員）の世帯情報７１、顧客情報７２、および口座情報７３および各種マスターなどを端末装置１にダウンロードしておく（＃１）。例えば、地区、取引種別、取引規模、または定住情報などを抽出条件としてこれらの情報を抽出し、ダウンロードしておく。
【００５４】
渉外員は、訪問先の世帯にて、入金の必要のある口座の書類および入金すべき金銭を受け取る。端末装置１を操作し、その世帯の世帯名を図８の世帯選択画面ＨＧ１より選択する。すると、端末装置１は、選択された世帯を記憶し（＃２）、その世帯の家族（顧客）に関する顧客選択画面ＨＧ２（図９参照）を表示する（＃３）。渉外員は、入金の必要のある口座を持っている顧客を選択する。すると、端末装置１は、選択された顧客を記憶し（＃４）、その顧客の持っている口座に関する入金処理画面ＨＧ３（図１０参照）を表示する（＃５）。
【００５５】
ここで、渉外員は、領域ＲＹ３１よりその口座を選択するとともに、顧客から手渡されたその口座の書類に書かれている口座番号をテキストボックスＴＸ３に手入力し、Ｅｎｔｅｒキーを押下するなどして入金のための処理を実行するように要求する。すると、端末装置１は、選択された口座の口座番号および入力された口座番号を記憶する（＃６、＃７）。両者を照合し、両者が一致するか否かを判定する（＃８）。
【００５６】
一致しない場合は（＃８でＮｏ）、入力ミスまたは選択ミスがあった旨の警告を渉外員に対して与える。渉外員は、入金処理画面ＨＧ３で口座番号の選択および入力をやり直す。または、顧客選択画面ＨＧ２または世帯選択画面ＨＧ１まで戻って顧客または世帯の選択からやり直す。なお、顧客が考えている入金対象の口座と渉外員が考えている入金対象の口座とが一致しなかった可能性がある。そこで、渉外員は、口座の選択などをやり直す際に、顧客に対して入金対象とする口座の意思確認をしっかりと行うことが必要である。
【００５７】
一致する場合は（＃８でＹｅｓ）、その口座に対する入金を受け付ける（＃９）。それ以外に入金の口座がある場合は（＃１０でＮｏ）、ステップ＃２、＃４、または＃６に戻って処理を繰り返す。
【００５８】
その日のすべての訪問が終わると（＃１０でＹｅｓ）、渉外員は、本店または支店に戻り、端末装置１を店舗コンピュータ２に接続する。そして、ステップ＃９で受け付けた入金に関する情報を店舗コンピュータ２に送信する（＃１１）。これにより、端末装置１における入金のための処理が完了する。
【００５９】
本実施形態によると、カードリーダを用いることなく入金対象の口座の口座番号の指定ミスを防止することができる。また、カードリーダが不要なので、渉外員が持ち運ぶ端末装置を従来の専用機よりもさらに小型化することができ、かつ、端末装置のコストパフォーマンスを向上させることができる。
【００６０】
本実施形態では、訪問に必要な世帯情報７１、顧客情報７２、および口座情報７３などを、渉外員が出掛ける前に一括して店舗コンピュータ２から端末装置１にダウンロードしておいた。また、顧客より受け付けた入金に関する情報を、渉外員が店舗に戻ってから一括して端末装置１から店舗コンピュータ２にアップロードした。これらの情報のやり取りを、逐一実行するようにしてもよい。
【００６１】
例えば、端末装置１と店舗コンピュータ２とを、公衆回線またはインターネットなどによっていつでも接続できるように構成する。そして、端末装置１は、渉外員が訪問先の地区、世帯名、顧客名、または商品名などを選択するごとに、次の処理に必要な情報だけを店舗コンピュータ２よりダウンロードする。また、入金の要求を受け付けるごとに、その口座の口座番号および受け取った金銭の額などの情報を店舗コンピュータ２にアップロードする。
【００６２】
このように構成する場合は、端末装置１として、ＰＤＡの代わりに、大容量の記憶媒体を持たない携帯電話端末またはＰＨＳ端末などを用いることができる。また、ホスト３と端末装置１とを接続するようにしてもよい。この場合は、各店舗の店舗コンピュータ２をなくし、システム全体のコストダウンを図ることができる。
【００６３】
図８の世帯選択画面ＨＧ１において、世帯名を所定の順に並べ替えて表示するようにしてもよい。例えば、郵便番号順または５０音順に並べ替えて表示してもよい。どのような順に並べ替えるのかは、渉外員が指定できるようにすればよい。または、世帯情報７１（図５参照）に、並べ替え（ソート）用のフィールドを設けておき、係るフィールドに与えられたデータ順に並べ替えるようにしてもよい。例えば、各世帯をどの順番で訪問するのが効率的であるかを予め調査しておき、各世帯の並べ替え用のフィールドにそれぞれの順番を記憶しておくと便利である。
【００６４】
本実施形態では、預金、ローンの返済、または保険の掛け金などの入金の取引の場合の処理を例に説明したが、預貯金等管理システム１００は、預金の払い戻し、貸付、または保険の配当金の支払いなどの出金の取引の場合の処理も同様に行うことができる。この場合も入金の場合と同様に、渉外員は、図１０の領域ＲＹ３１の中から取引対象の口座を選択するとともに、テキストボックスＴＸ３に顧客から手渡された書類に書かれている口座番号を入力する。そして、出金すべき旨の指令を端末装置１に対して与える。すると、図４の口座番号照合部１０４は、選択された口座の口座番号と入力された口座番号を照合する。両者が一致した場合は、渉外員は、所定の金銭をその顧客に支払う。入金等処理部１０５は、その口座の出金の要求が正しく受け付けられた旨、その口座の口座番号、および顧客に支払った金銭の額などを示す情報を店舗コンピュータ２にアップロードする。
【００６５】
図１０において、領域ＲＹ３１の各商品名とともにそれに対応する口座の口座番号を表示するようにしてもよい。
【００６６】
その他、預貯金等管理システム１００、端末装置１の全体または各部の構成、処理内容、処理順序、処理を実行するタイミング、データベースの内容、画面構成などは、本発明の趣旨に沿って適宜変更することができる。
【図面の簡単な説明】
【００６７】
【図１】預貯金等管理システムの全体の構成の例を示す図である。
【図２】端末装置の外観の例を示す図である。
【図３】端末装置の内部構成の例を示す図である。
【図４】端末装置の機能的構成の例を示す図である。
【図５】世帯情報データベースの例を示す図である。
【図６】顧客情報データベースの例を示す図である。
【図７】口座情報データベースの例を示す図である。
【図８】世帯選択画面の例を示す図である。
【図９】顧客選択画面の例を示す図である。
【図１０】入金処理画面の例を示す図である。
【図１１】端末装置の処理の流れの例を説明するフローチャートである。
【符号の説明】
【００６８】
１  端末装置
１３  キーボード（入力手段、選択手段）
１０１  操作画面表示部（表示手段）
１０２  口座選択部（選択手段）
１０３  口座番号入力部（入力手段）
１０４  口座番号照合部（口座番号照合手段）
１０５  入金等処理部（入出金処理実行手段）
１０６  顧客情報等記憶部（記憶手段）
ＨＧ３  入金処理画面（入力手段、選択手段）
【図１】
2005208948.tif 000003
【図２】
2005208948.tif 000004
【図３】
2005208948.tif 000005
【図４】
2005208948.tif 000006
【図５】
2005208948.tif 000007
【図６】
2005208948.tif 000008
【図７】
2005208948.tif 000009
【図８】
2005208948.tif 000010
【図９】
2005208948.tif 000011
【図１０】
2005208948.tif 000012
【図１１】
2005208948.tif 000013